(57)【特許請求の範囲】
【請求項１】
１乃至複数のＬＥＤ素子で構成されるＬＥＤ光源に直流電力を供給するＬＥＤ駆動装置であって、
コンデンサ、第１のスイッチング素子を有し、前記第１のスイッチング素子をオン・オフしてコンデンサを充電することによって、直流電源の第１の直流電圧を昇圧した第２の直流電圧を前記コンデンサに発生させる昇圧回路と、
第２のスイッチング素子を有し、前記第２のスイッチング素子をオン・オフして前記コンデンサを放電させることによって、前記第２の直流電圧を降圧した第３の直流電圧を前記ＬＥＤ光源に出力する降圧回路と、
前記第１のスイッチング素子のオンデューティを決定する第１のＰＷＭ信号、前記第２のスイッチング素子のオンデューティを決定する第２のＰＷＭ信号を生成して、前記第１のスイッチング素子および前記第２のスイッチング素子をスイッチング制御することで、前記昇圧回路の昇圧動作および前記降圧回路の降圧動作を制御する制御回路と、
前記第１のスイッチング素子と前記第２のスイッチング素子とを同時にオフさせる期間を周期的に設定する調光信号を生成する調光信号生成部とを備え、
前記制御回路は、前記降圧回路が前記コンデンサを放電させる期間の少なくとも一部に、前記昇圧回路が前記コンデンサを充電する期間が重複するように、前記昇圧回路の昇圧動作および前記降圧回路の降圧動作を制御し、前記調光信号に基づいて前記第１のスイッチング素子と前記第２のスイッチング素子とを同時にオフさせる期間を周期的に設けることによって、前記ＬＥＤ光源を調光制御する
ことを特徴とするＬＥＤ駆動装置。
【請求項２】
前記昇圧回路は、前記第１のＰＷＭ信号による前記第１のスイッチング素子のオフ期間に前記コンデンサを充電し、
前記降圧回路は、前記第２のＰＷＭ信号による前記第２のスイッチング素子のオン期間に前記コンデンサを放電し、
前記制御回路は、前記第２のＰＷＭ信号による前記第２のスイッチング素子のオン期間に同期させて、前記第１のＰＷＭ信号による前記第１のスイッチング素子のオフ期間を設ける
ことを特徴とする請求項１記載のＬＥＤ駆動装置。
【請求項３】
前記昇圧回路は、前記第１のＰＷＭ信号による前記第１のスイッチング素子のオフ期間に前記コンデンサを充電し、
前記降圧回路は、前記第２のＰＷＭ信号による前記第２のスイッチング素子のオン期間に前記コンデンサを放電し、
前記制御回路は、前記第１のＰＷＭ信号による前記第１のスイッチング素子のスイッチング周波数を、前記第２のＰＷＭ信号による前記第２のスイッチング素子のスイッチング周波数より高くした
ことを特徴とする請求項１記載のＬＥＤ駆動装置。
【請求項４】
前記第２の直流電圧を検出する電圧検出部と、前記ＬＥＤ光源に流れる電流を検出する電流検出部とを備え、
前記制御回路は、前記第２の直流電圧の検出値に基づいて前記昇圧回路の昇圧動作を制御し、前記ＬＥＤ光源に流れる電流の検出値に基づいて前記降圧回路の降圧動作を制御する
ことを特徴とする請求項１乃至３いずれか記載のＬＥＤ駆動装置。
【請求項５】
請求項１乃至４のいずれか１項に記載のＬＥＤ駆動装置と、
前記ＬＥＤ駆動装置によって駆動される１乃至複数のＬＥＤ素子で構成されたＬＥＤ光源と
を備えることを特徴とする照明装置。
【請求項６】
請求項５記載の照明装置と、前記照明装置を保持する器具本体とを備えることを特徴とする照明器具。
【発明の詳細な説明】
【技術分野】
【０００１】
本発明は、ＬＥＤ駆動装置、照明装置、および照明器具に関するものである。
【背景技術】
【０００２】
照明分野においては、ＬＥＤ（Light Emitting Diode）素子が盛んに使用され、その用途も多様化している。車両の照明では、白色ＬＥＤ素子が車室内において活用され、さらには高輝度化によってヘッドライト、デイタイムランニングランプ等にも使用されている。
【０００３】
ＬＥＤ素子は、白熱電球と比べ長寿命で応答性が速く、構造上コンパクトに実装できる。また、各種の色が簡単に実現でき、調光による点灯制御も容易である。そして、灯具などの照明器具は、薄型化が可能になり、立体的に実装できることにより、車のデザインなど形状に制限を与えない自由な設計が可能になる等の利点がある。
【０００４】
上述した照明器具は、ＬＥＤ素子と、ＬＥＤ素子を点灯させるＬＥＤ駆動装置とが、器具本体に保持されて構成されている。ＬＥＤ駆動装置は、複数のＬＥＤ素子を直列接続してなる光源に一定の電流を供給することによって、複数のＬＥＤ素子を均一な明るさで点灯させる。
【０００５】
そして、ＬＥＤ駆動装置には、入力電圧が変動しても出力電圧が一定範囲に収まるように制御するために、様々な構成のＤＣ／ＤＣコンバータが用いられる。
【０００６】
例えば、入力電圧の値に応じて、出力のチョッパ方式を降圧チョッパまたは昇圧チョッパに切り替える構成が提案されている（例えば、特許文献１参照）。さらに、入力電圧に応じて降圧チョッパと昇圧チョッパとを切り替えて選択的に動作させる場合に、昇圧／降圧の切り替え時においても出力電圧を一定に保持する構成も提案されている（例えば、特許文献２参照）。また、昇圧チョッパ回路と降圧チョッパ回路とのそれぞれを独立に備えて、昇圧チョッパ回路の後段に降圧チョッパ回路を配した構成も提案されている（例えば、特許文献３参照）。
【０００７】
図１４は、従来のＬＥＤ駆動装置Ｂ１の一例を示し、昇圧チョッパ回路Ｂ１１の後段に降圧チョッパ回路Ｂ１２を設けて構成されている。
【０００８】
昇圧チョッパ回路Ｂ１１は、スイッチング素子Ｓ１０１、コンデンサＣ１０１を備えている。そして、このスイッチング素子Ｓ１０１がオン・オフ駆動されることによって、コンデンサＣ１０１を充電し、入力電圧Ｖ１０１を昇圧した昇圧電圧Ｖ１０２をコンデンサＣ１０１の両端間に生成する。降圧チョッパ回路Ｂ１２は、スイッチング素子Ｓ１０２を備えており、このスイッチング素子Ｓ１０２がオン・オフ駆動されることによって、コンデンサＣ１０１を放電させ、昇圧電圧Ｖ１０２を降圧した出力電圧Ｖ１０３を出力する。出力電圧Ｖ１０３は、複数のＬＥＤ素子Ｚ１０１を直列接続したＬＥＤユニット１０３（ＬＥＤ光源）の両端間に印加され、ＬＥＤユニット１０３にＬＥＤ電流Ｉ１０３が流れて点灯する。
【０００９】
このＬＥＤ駆動装置Ｂ１を車両に搭載して、車載用のＬＥＤ駆動装置として用いた場合、直流電源Ｅ１０１は、車載バッテリで構成される。そして、車載バッテリの直流電圧（通常、１２Ｖ）の変動を考慮すると、入力電圧Ｖ１０１の範囲として９〜１６Ｖが想定される。過渡的な電圧変動を考えると、入力電圧Ｖ１０１の範囲として６〜２０Ｖを想定する場合もある。
【００１０】
ＬＥＤユニット１０３に用いられるＬＥＤ素子Ｚ１０１は、ＬＥＤ素子の使用数を低減させながらも必要な光束が得られるように、発光効率の向上などによって順方向電圧の改善が図られている。ＬＥＤ素子Ｚ１０１の光束は、ＬＥＤ電流Ｉ１０３に比例して変化するので、複数のＬＥＤ素子Ｚ１０１を使用する場合は、ＬＥＤ素子を直列に接続して同一のＬＥＤ電流を流し、それぞれのＬＥＤ素子を同様に発光させる方法が一般的である。
【００１１】
車載用のすれ違い前照灯にＬＥＤ素子を用いた場合、発光効率の向上によって、使用するＬＥＤ素子Ｚ１０１の数は４個から１２個程度で構成される場合が多い。１つのＬＥＤ素子Ｚ１０１の順方向電圧は、電流容量、素子の構成や材料、使用温度、動作電流などで変動するが、順方向電流が数百ｍＡであれば、順方向電圧は３〜３．５Ｖ程度である。４個のＬＥＤ素子Ｚ１０１を直列接続したＬＥＤユニット１０３の場合、その両端電圧は１２〜１４Ｖ、５個のＬＥＤ素子Ｚ１０１を直列接続したＬＥＤユニット１０３の場合、その両端電圧は１５〜１７．５Ｖになる。
【００１２】
図１５は、入力電圧Ｖ１０１−昇圧電圧Ｖ１０２の関係を示すグラフである。そして、Ｖ１０１＝Ｖ１０２となる直線Ｘ１０１を境にして、直線Ｘ１０１の下方はＶ１０１＞Ｖ１０２の領域（降圧領域）であり、直線Ｘ１０１の上方はＶ１０１＜Ｖ１０２の領域（昇圧領域）である。
【００１３】
また、入力電圧Ｖ１０１の範囲Ｗ１０１［９〜１６Ｖ］は、車載バッテリの直流電圧（通常、１２Ｖ）の変動を考慮したものである。入力電圧Ｖ１０１の範囲Ｗ１０２［６〜２０Ｖ］は、車載バッテリの直流電圧の過渡的な電圧変動をも考慮したものである。
【００１４】
そして、図１５中の領域Ｇ１０１は、入力電圧Ｖ１０１の範囲Ｗ１０２と、５個のＬＥＤ素子Ｚ１０１を直列接続したＬＥＤユニット１０３がとり得る両端電圧の範囲Ｗ１０３［１５〜１７．５Ｖ］とで囲まれた領域である。図１５中の領域Ｇ１０２は、入力電圧Ｖ１０１の範囲Ｗ１０２と、４個のＬＥＤ素子Ｚ１０１を直列接続したＬＥＤユニット１０３がとり得る両端電圧の範囲Ｗ１０４［１２〜１４Ｖ］とで囲まれた領域である。ＬＥＤ駆動装置Ｂ１は、領域Ｇ１０１または領域Ｇ１０２を想定して動作することになる。
【先行技術文献】
【特許文献】
【００１５】
【特許文献１】特開昭６２−１８９７０号公報
【特許文献２】特開２０１０−２６８５９０号公報
【特許文献３】特開２０１０−４０４００号公報
【発明の概要】
【発明が解決しようとする課題】
【００１６】
上述のＬＥＤ駆動装置Ｂ１のコンデンサＣ１０１は、スイッチング素子Ｓ１０１，Ｓ１０２のスイッチングによって充電・放電され、コンデンサＣ１０１の両端電圧である昇圧電圧Ｖ１０２は、目標電圧に維持される。そして、ＬＥＤユニット３の光出力の変動を小さくするためには、昇圧電圧Ｖ１０２の変動が小さい程よい。したがって、昇圧電圧Ｖ１０２のリプル電圧（昇圧電圧Ｖ１０２の交流分の変動幅）を低減させる必要がある。
【００１７】
そこで、昇圧電圧Ｖ１０２のリプル電圧を低減させるために、コンデンサＣ１０１の容量を大きくすることが考えられるが、コンデンサＣ１０１の大型化によって、装置自体が大型化、高コスト化してしまう。また、コンデンサＣ１０１の容量を大きくすると、入力電圧Ｖ１０１やＬＥＤユニット１０３等の瞬時的な変化に対して応答性が鈍くなる。例えば、入力電圧Ｖ１０１と出力電圧Ｖ１０３との大小関係が反転する状況下では、応答性が鈍くなったことによって、ＬＥＤユニット１０３へ過電流が流れる虞がある。
【００１８】
本発明は、上記事由に鑑みてなされたものであり、その目的は、昇圧回路と降圧回路とで構成され、昇圧電圧を発生するコンデンサの小容量化による応答性の向上および低コスト化を図りながら、リプル電圧の低減を可能にすることができるＬＥＤ駆動装置、照明装置、および照明器具を提供することにある。
【課題を解決するための手段】
【００１９】
本発明のＬＥＤ駆動装置は、１乃至複数のＬＥＤ素子で構成されるＬＥＤ光源に直流電力を供給するＬＥＤ駆動装置であって、コンデンサ、第１のスイッチング素子を有し、前記第１のスイッチング素子をオン・オフしてコンデンサを充電することによって、直流電源の第１の直流電圧を昇圧した第２の直流電圧を前記コンデンサに発生させる昇圧回路と、第２のスイッチング素子を有し、前記第２のスイッチング素子をオン・オフして前記コンデンサを放電させることによって、前記第２の直流電圧を降圧した第３の直流電圧を前記ＬＥＤ光源に出力する降圧回路と、前記第１のスイッチング素子のオンデューティを決定する第１のＰＷＭ信号、前記第２のスイッチング素子のオンデューティを決定する第２のＰＷＭ信号を生成して、前記第１のスイッチング素子および前記第２のスイッチング素子をスイッチング制御することで、前記昇圧回路の昇圧動作および前記降圧回路の降圧動作を制御する制御回路と、前記第１のスイッチング素子と前記第２のスイッチング素子とを同時にオフさせる期間を周期的に設定する調光信号を生成する調光信号生成部とを備え、前記制御回路は、前記降圧回路が前記コンデンサを放電させる期間の少なくとも一部に、前記昇圧回路が前記コンデンサを充電する期間が重複するように、前記昇圧回路の昇圧動作および前記降圧回路の降圧動作を制御し、前記調光信号に基づいて前記第１のスイッチング素子と前記第２のスイッチング素子とを同時にオフさせる期間を周期的に設けることによって、前記ＬＥＤ光源を調光制御することを特徴とする。
【００２０】
この発明において、前記昇圧回路は、前記第１のＰＷＭ信号による前記第１のスイッチング素子のオフ期間に前記コンデンサを充電し、前記降圧回路は、前記第２のＰＷＭ信号による前記第２のスイッチング素子のオン期間に前記コンデンサを放電し、前記制御回路は、前記第２のＰＷＭ信号による前記第２のスイッチング素子のオン期間に同期させて、前記第１のＰＷＭ信号による前記第１のスイッチング素子のオフ期間を設けることが好ましい。
【００２３】
この発明において、前記昇圧回路は、前記第１のＰＷＭ信号による前記第１のスイッチング素子のオフ期間に前記コンデンサを充電し、前記降圧回路は、前記第２のＰＷＭ信号による前記第２のスイッチング素子のオン期間に前記コンデンサを放電し、前記制御回路は、前記第１のＰＷＭ信号による前記第１のスイッチング素子のスイッチング周波数を、前記第２のＰＷＭ信号による前記第２のスイッチング素子のスイッチング周波数より高くしたことが好ましい。
【００２４】
この発明において、前記第２の直流電圧を検出する電圧検出部と、前記ＬＥＤ光源に流れる電流を検出する電流検出部とを備え、前記制御回路は、前記第２の直流電圧の検出値に基づいて前記昇圧回路の昇圧動作を制御し、前記ＬＥＤ光源に流れる電流の検出値に基づいて前記降圧回路の降圧動作を制御することが好ましい。
【００２５】
本発明の照明装置は、本発明のＬＥＤ駆動装置と、前記ＬＥＤ駆動装置によって駆動される１乃至複数のＬＥＤ素子で構成されたＬＥＤ光源とを備えることを特徴とする。
【００２６】
本発明の照明器具は、本発明の照明装置と、前記照明装置を保持する器具本体とを備えることを特徴とする。
【発明の効果】
【００２７】
以上説明したように、本発明では、昇圧回路と降圧回路とで構成され、昇圧電圧を発生するコンデンサ容量の低減による応答性の向上と、リプル電圧の低減とを両立させることができるという効果がある。
【図面の簡単な説明】
【００２８】
【図１】実施形態１のＬＥＤ駆動装置の概略構成を示すブロック図である
【図２】同上の構成を示す回路図である。
【図３】（ａ）〜（ｄ）同上の動作を示す説明図である。
【図４】同上の詳細な構成を示す回路図である。
【図５】同上の制御回路の構成の一部を示すブロック図である。
【図６】実施形態２の制御回路の構成の一部を示すブロック図である。
【図７】（ａ）〜（ｄ）同上の動作を示す説明図である。
【図８】実施形態３の制御回路の構成の一部を示すブロック図である。
【図９】（ａ）〜（ｄ）同上の動作を示す説明図である。
【図１０】実施形態４の制御回路の構成の一部を示すブロック図である。
【図１１】実施形態５の降圧チョッパ回路の構成を示す回路図である。
【図１２】同上のＬＥＤ電流の検出手段の構成を示す回路図である。
【図１３】（ａ）〜（ｃ）同上のＬＥＤ電流の検出波形を示す波形図である。
【図１４】従来のＬＥＤ駆動装置の概略構成を示すブロック図である
【図１５】ＬＥＤ駆動装置の入力電圧−出力電圧の関係を示すグラフ図である。
【発明を実施するための形態】
【００２９】
以下、本発明の実施の形態を図面に基づいて説明する。
【００３０】
（実施形態１）
図１は、本実施形態のＬＥＤ駆動装置Ａ１を示す。ＬＥＤ駆動装置Ａ１は、直流電源Ｅ１の直流電圧を入力電圧Ｖ１として入力し、複数のＬＥＤ素子Ｚ１を直列接続したＬＥＤユニット３（ＬＥＤ光源）を出力に接続している。ＬＥＤ駆動装置Ａ１の出力電圧Ｖ３は、ＬＥＤユニット３の両端に印加され、ＬＥＤユニット３はＬＥＤ電流Ｉ３が流れて点灯する。なお、ＬＥＤ駆動装置Ａ１と、ＬＥＤユニット３とで、本発明の照明装置を構成する。
【００３１】
そして、ＬＥＤ駆動装置Ａ１は、昇圧チョッパ回路Ａ１１（昇圧回路）と、降圧チョッパ回路Ａ１２（降圧回路）と、制御回路Ａ１３とで構成され、昇圧チョッパ回路Ａ１１の後段に降圧チョッパ回路Ａ１２が接続されている。
【００３２】
昇圧チョッパ回路Ａ１１は、スイッチング素子Ｓ１（第１のスイッチング素子）、コンデンサＣ１を備えている。そして、このスイッチング素子Ｓ１がオン・オフ駆動されることによって、コンデンサＣ１を充電し、入力電圧Ｖ１（第１の直流電圧）を昇圧した昇圧電圧Ｖ２（第２の直流電圧）をコンデンサＣ１の両端間に生成する。降圧チョッパ回路Ａ１２は、スイッチング素子Ｓ２を備えており、このスイッチング素子Ｓ２がオン・オフ駆動されることによって、コンデンサＣ１を放電させ、昇圧電圧Ｖ２を降圧した出力電圧Ｖ３（第３の直流電圧）を出力する。
【００３３】
制御回路Ａ１３は、入力電圧Ｖ１から制御電源を内部で生成し、この制御電源によって動作する。そして、制御回路Ａ１３は、スイッチング素子Ｓ１をオン・オフ駆動することによって昇圧チョッパ回路Ａ１１の昇圧動作を制御し、スイッチング素子Ｓ２をオン・オフ駆動することによって降圧チョッパ回路Ａ１２の降圧動作を制御する。
【００３４】
そして、ＬＥＤ駆動装置Ａ１は、コンデンサＣ１の放電電流Ｉｂが発生している期間の少なくとも一部に、コンデンサＣ１の充電電流Ｉａが発生する期間を重複させたことに特徴を有する。
【００３５】
図２は、ＬＥＤ駆動装置Ａ１の一例を示す。本実施形態の制御回路Ａ１３は、スイッチング素子Ｓ１，Ｓ２の各スイッチング動作を連動させて、スイッチング素子Ｓ２のオン期間に同期させてスイッチング素子Ｓ１のオフ期間を設けており、ＬＥＤ駆動装置Ａ１の各部の状態を図３（ａ）〜（ｄ）に示す。
【００３６】
まず、昇圧チョッパ回路Ａ１１は、直流電源Ｅ１の両端間に接続したインダクタＬ１とスイッチング素子Ｓ１（第１のスイッチング素子）との直列回路と、スイッチング素子Ｓ１に並列接続したダイオードＤ１とコンデンサＣ１との直列回路とを備える。そして、制御回路Ａ１３は、スイッチング素子Ｓ１を高周波でオン・オフ駆動することによって、入力電圧Ｖ１を昇圧した昇圧電圧Ｖ２をコンデンサＣ１の両端間に発生させる。
【００３７】
また、降圧チョッパ回路Ａ１２は、コンデンサＣ１の正極に一端を接続したインダクタＬ２と、コンデンサＣ１の負極に一端を接続したスイッチング素子Ｓ２（第２のスイッチング素子）とを備え、インダクタＬ２およびスイッチング素子Ｓ２の各他端間には、ＬＥＤユニット３が接続される。さらに、インダクタＬ２とＬＥＤユニット３との直列回路には、回生用のダイオードＤ２が並列接続される。そして、制御回路Ａ１３は、スイッチング素子Ｓ２を高周波でオン・オフ駆動することによって、昇圧電圧Ｖ２を降圧した出力電圧Ｖ３をＬＥＤユニット３の両端間に印加し、ＬＥＤ電流Ｉ３を目標電流に制御する。
【００３８】
そして、図３（ａ）は、スイッチング素子Ｓ１のオン・オフ状態を示し、図３（ｃ）は、スイッチング素子Ｓ２のオン・オフ状態を示しており、スイッチング素子Ｓ１，Ｓ２は同一のスイッチング周期Ｔ１でスイッチングする。スイッチング周期Ｔ１は、期間Ｔ１ａと期間Ｔ１ｂとで構成されており、Ｔ１＝Ｔ１ａ＋Ｔ１ｂの関係にある。そして、期間Ｔ１ａにおいて、スイッチング素子Ｓ１はオンし、スイッチング素子Ｓ２はオフする。さらに、期間Ｔ１ｂにおいて、スイッチング素子Ｓ１はオフし、スイッチング素子Ｓ２はオンする。
【００３９】
このようなスイッチング素子Ｓ１，Ｓ２のオン・オフ動作に対して、昇圧チョッパ回路Ａ１１の入力電流Ｉ１は図３（ｂ）に示され、ＬＥＤ電流Ｉ３は図３（ｄ）に示される。
【００４０】
具体的に、昇圧チョッパ回路Ａ１１は、スイッチング素子Ｓ１がオンすると、直流電源Ｅ１−インダクタＬ１−スイッチング素子Ｓ１−直流電源Ｅ１の経路で電流Ｉｓが流れ、インダクタＬ１に磁気エネルギーが蓄積される（図３（ｂ）の白抜き部分）。そして、スイッチング素子Ｓ１がオフすると、インダクタＬ１に蓄積された磁気エネルギーが放出され、インダクタＬ１−ダイオードＤ１−コンデンサＣ１−直流電源Ｅ１−インダクタＬ１の経路で充電電流Ｉａが流れる（図３（ｂ）の斜線部分）。このスイッチング素子Ｓ１のオン・オフが繰り返されることによって、コンデンサＣ１の両端には、入力電圧Ｖ１より高い昇圧電圧Ｖ２が発生する。制御回路Ａ１３は、昇圧電圧Ｖ２の検出値が予め決められている目標電圧に一致するように、スイッチング素子Ｓ１のオンデューティをＰＷＭ（Pulse Width Modulation）制御する。
【００４１】
次に、降圧チョッパ回路Ａ１２は、スイッチング素子Ｓ２がオンすると、コンデンサＣ１−インダクタＬ２−ＬＥＤユニット３−スイッチング素子Ｓ２−コンデンサＣ１の経路で放電電流Ｉｂが流れる（図３（ｄ）の斜線部分）。そして、スイッチング素子Ｓ２がオフすると、インダクタＬ２に蓄積された磁気エネルギーが放出され、インダクタＬ２−ＬＥＤユニット３−ダイオードＤ２−インダクタＬ２の経路で電流Ｉｄが流れる（図３（ｄ）の白抜き部分）。このスイッチング素子Ｓ２のオン・オフが繰り返されることによって、ＬＥＤユニット３にはＬＥＤ電流Ｉ３が連続して流れ、ＬＥＤ素子Ｚ１は、ＬＥＤ電流Ｉ３に応じて発光する。制御回路Ａ１３は、ＬＥＤ電流Ｉ３の検出値が予め決められている目標電流に一致するように、スイッチング素子Ｓ２のオンデューティをＰＷＭ制御する。
【００４２】
そして、期間Ｔ１ｂでは、スイッチング素子Ｓ１：オフ、スイッチング素子Ｓ２：オンとすることによって、期間Ｔ１ｂにおいてコンデンサＣ１を流入出する電流は、充電電流Ｉａと放電電流Ｉｂとの和になる。そして、充電電流Ｉａと放電電流Ｉｂとは流れる方向が互いに逆方向であるので、充電電流Ｉａと放電電流Ｉｂとが互いに相殺され、コンデンサＣ１を流入出する電流が低減される。したがって、容量を小さくしたコンデンサＣ１を用いても、昇圧電圧Ｖ２のリプル電圧（昇圧電圧Ｖ２の交流分の変動幅）を低減させることができ、さらにはコンデンサＣ１の小型化を図ることもできる。
【００４３】
また、コンデンサＣ１の小容量化によって、回路全体の応答性が向上するので、入力電圧Ｖ１やＬＥＤユニット３等の瞬時的な変化時において、ＬＥＤユニット３に過電流が流れることを抑制できる。したがって、ＬＥＤユニット３にかかる電流ストレスが低減されるため、ＬＥＤユニット３の耐量を小さくでき、コストの点で有利になる。
【００４４】
而して、昇圧電圧を発生するコンデンサＣ１の小容量化による応答性の向上および低コスト化を図りながら、リプル電圧の低減を可能にすることができる。
【００４５】
次に、ＬＥＤ駆動装置Ａ１の具体回路を図４に示し、スイッチング素子Ｓ１，Ｓ２の駆動制御について説明する。
【００４６】
まず、昇圧チョッパ回路Ａ１１では、コンデンサＣ１の両端間に抵抗Ｒ１，Ｒ２の直列回路を接続して電圧検出部を構成し、抵抗Ｒ１，Ｒ２の接続点Ｐ１の電圧を、昇圧電圧Ｖ２の検出値として出力する。
【００４７】
降圧チョッパ回路Ａ１２では、スイッチング素子Ｓ２と直流電源Ｅ１の負極との間に抵抗Ｒ３を接続して電流検出部を構成する。そして、スイッチング素子Ｓ２と抵抗Ｒ３との接続点Ｐ２の電圧を、スイッチング素子Ｓ２のオン時におけるＬＥＤ電流Ｉ３の検出値として出力する。
【００４８】
制御回路Ａ１３は、主制御回路１０、昇圧制御回路１１、降圧制御回路１２を備える。
【００４９】
そして、昇圧制御回路１１および降圧制御回路１２の回路ブロックは、図５に示すように、エラーアンプ１３，１４、ＰＷＭ制御回路１５、スイッチ駆動回路１６，１７で構成できる。ＰＷＭ制御回路１５は、エラーアンプ１５ａ，１５ｂ、基準電圧発生回路１５ｃで構成される。
【００５０】
エラーアンプ１３は、接続点Ｐ１の電圧（昇圧電圧Ｖ２の検出値）と予め設定された基準電圧Ｖｒｅｆ１との誤差を増幅して出力する。基準電圧発生回路１５ｃは、周期Ｔ１のノコギリ波の電圧を発生する。そして、エラーアンプ１５ａは、エラーアンプ１３の出力と、基準電圧発生回路１５ｃが発生したノコギリ波の電圧とを比較し、その比較結果に応じてＨレベルとＬレベルとを交互に繰り返す周期Ｔ１のＰＷＭ信号を出力する。ＰＷＭ信号は、スイッチング素子Ｓ１のオンデューティを決定する信号であり、スイッチ駆動回路１６は、ＰＷＭ信号に基づいてスイッチング素子Ｓ１を周期Ｔ１でオン・オフ駆動する。
【００５１】
エラーアンプ１４は、接続点Ｐ２の電圧（ＬＥＤ電流Ｉ１の検出値）と予め設定された基準電圧Ｖｒｅｆ２との誤差を増幅して出力する。そして、エラーアンプ１５ｂは、エラーアンプ１４の出力と、基準電圧発生回路１５ｃが発生したノコギリ波の電圧とを比較し、その比較結果に応じてＨレベルとＬレベルとを交互に繰り返す周期Ｔ１のＰＷＭ信号を出力する。ＰＷＭ信号は、スイッチング素子Ｓ２のオンデューティを決定する信号であり、スイッチ駆動回路１７は、ＰＷＭ信号に基づいてスイッチング素子Ｓ２を周期Ｔ１でオン・オフ駆動する。
【００５２】
本実施形態の制御回路Ａ１３は、１つの基準電圧発生回路１５ｃを用いて、スイッチング素子Ｓ１，Ｓ２のＰＷＭ信号を生成するので、スイッチング素子Ｓ１，Ｓ２は同一周波数（＝１／Ｔ１）でオン・オフ駆動される。したがって、スイッチ駆動回路１６，１７は、スイッチング素子Ｓ１，Ｓ２のオン・オフ動作を同一周波数で連動させることができ、スイッチング素子Ｓ２のオン期間に同期させてスイッチング素子Ｓ１のオフ期間を設けることが容易になる。さらに、制御回路Ａ１３の回路構成を簡略化することができる。
【００５３】
（実施形態２）
本実施形態のＬＥＤ駆動装置は、実施形態１の制御回路Ａ１３の代わりに、図６に示す制御回路Ａ１３ａを用いるものであり、実施形態１と同様の構成には同一の符号を付して説明は省略する。
【００５４】
制御回路Ａ１３ａは、エラーアンプ１５ａとスイッチ駆動回路１６との間にＡＮＤ素子１８を設け、エラーアンプ１５ｂとスイッチ駆動回路１７との間にＮＡＮＤ素子１９を設けている。さらに、ＨレベルとＬレベルとを低周波（数十Ｈｚ〜数百Ｈｚ）で交互に繰り返す調光信号を発生する低周波発振器２０を備える。
【００５５】
そして、ＡＮＤ素子１８は、エラーアンプ１５ａの出力と低周波発振器２０の出力とを入力され、その出力はスイッチ駆動回路１６に接続される。また、ＮＡＮＤ素子１９は、エラーアンプ１５ｂの出力と低周波発振器２０の出力とを入力され、その出力はスイッチ駆動回路１７に接続される。
【００５６】
図７（ａ）〜（ｄ）は、ＬＥＤ駆動装置Ａ１の各部の状態を示す。
【００５７】
まず、エラーアンプ１５ａ，１５ｂは、実施形態１と同様にＨレベルとＬレベルとを交互に繰り返す周期Ｔ１のＰＷＭ信号を出力する。
【００５８】
低周波発振器２０は、ＨレベルとＬレベルとを周期Ｔ２（＞Ｔ１）で交互に繰り返す調光信号を出力している。周期Ｔ２は、期間Ｔ２ａと期間Ｔ２ｂとで構成されており、Ｔ２＝Ｔ２ａ＋Ｔ２ｂの関係にある。そして、期間Ｔ２ａにおいて、調光信号はＨレベルに設定され、期間Ｔ２ｂにおいて、調光信号はＬレベルに設定される。
【００５９】
そして、調光信号がＨレベルである期間Ｔ２ａにおいて、ＡＮＤ素子１８は、エラーアンプ１５ａのＰＷＭ信号を出力し、ＮＡＮＤ素子１９は、エラーアンプ１５ｂのＰＷＭ信号を反転して出力する。スイッチ駆動回路１６，１７は、ＡＮＤ素子１８およびＮＡＮＤ素子１９からのＰＷＭ信号に基づいて、スイッチング素子Ｓ１，Ｓ２をオン・オフ駆動し、スイッチング素子Ｓ２のオン期間に同期させてスイッチング素子Ｓ１のオフ期間を設ける（図７（ａ）（ｂ））。而して、ＬＥＤ電流Ｉ３が、ＬＥＤユニット３に流れる。（図７（ｄ））。
【００６０】
一方、調光信号がＬレベルである期間Ｔ２ｂにおいて、ＡＮＤ素子１８は、エラーアンプ１５ａのＰＷＭ信号に関わらずＬレベル信号を出力し、ＮＡＮＤ素子１９は、エラーアンプ１５ｂのＰＷＭ信号に関わらずＨレベル信号を出力する。スイッチ駆動回路１６，１７は、ＡＮＤ素子１８およびＮＡＮＤ素子１９からの各信号に基づいて、スイッチング素子Ｓ１，Ｓ２の両方をオフさせて（図７（ａ）（ｂ））、ＬＥＤユニット３へのＬＥＤ電流Ｉ３を遮断する（図７（ｄ））。この調光信号がＬレベルである期間Ｔ２ｂでは、充電電流Ｉａもゼロになる（図７（ｃ））。
【００６１】
すなわち、スイッチング素子Ｓ１，Ｓ２は、調光信号がＬレベルである期間Ｔ２ｂに同期して低周波で周期的にオフしており、期間Ｔ２ｂのデューティを変化させることによって、ＬＥＤユニット３を調光制御できる。
【００６２】
（実施形態３）
本実施形態のＬＥＤ駆動装置は、図８に示す昇圧制御回路１１および降圧制御回路１２の回路ブロックを有する制御回路Ａ１３ｂを用いるものであり、実施形態１と同様の構成には同一の符号を付して説明は省略する。
【００６３】
制御回路Ａ１３ｂは、昇圧制御回路１１および降圧制御回路１２の回路ブロックとして、エラーアンプ３１、ＰＷＭ制御回路３２、ＡＮＤ素子３３、調光制御部３４、調光信号生成部３５、スイッチ駆動回路３６，３７を備える。ＰＷＭ制御回路３２は、エラーアンプ３２ａ、基準電圧発生回路３２ｂで構成される。
【００６４】
エラーアンプ３１は、接続点Ｐ１の電圧（昇圧電圧Ｖ２の検出値）と予め設定された基準電圧Ｖｒｅｆ３との誤差を増幅して出力する。基準電圧発生回路３２ｂは、周期Ｔ３のノコギリ波の電圧を発生する。そして、エラーアンプ３２ａは、エラーアンプ３１の出力と、基準電圧発生回路３２ｂが発生したノコギリ波の電圧とを比較し、その比較結果に応じてＨレベルとＬレベルとを交互に繰り返す周期Ｔ３のＰＷＭ信号を出力する。ＰＷＭ信号は、スイッチング素子Ｓ１のオンデューティを決定する信号であり、ＡＮＤ素子３３を介してスイッチ駆動回路３６に入力される。
【００６５】
ＡＮＤ素子３３は、エラーアンプ３２ａが出力するＰＷＭ信号と、調光信号生成部３５が出力する調光信号とが入力される。調光信号生成部３５は、例えば電圧／周波数変換器で構成されており、調光信号生成部３５が出力する調光信号は、周期Ｔ４でＨレベルとＬレベルとを交互に繰り返す。周期Ｔ４は、期間Ｔ４ａと期間Ｔ４ｂとで構成されており、Ｔ４＝Ｔ４ａ＋Ｔ４ｂ＞Ｔ３の関係にある。そして、期間Ｔ４ａにおいて、調光信号はＨレベルに設定され、期間Ｔ４ｂにおいて、調光信号はＬレベルに設定される。さらに、調光制御部３４は、可変抵抗等を有して、出力電圧を可変に構成されており、調光信号生成部３５は、調光制御部３４の出力電圧に応じて期間Ｔ４ｂのデューティを変化させる。
【００６６】
そして、スイッチ駆動回路３６は、ＡＮＤ素子３３の出力に基づいて、スイッチング素子Ｓ１をスイッチング制御する。スイッチ駆動回路３７は、調光信号生成部３５が出力する調光信号に基づいて、スイッチング素子Ｓ２をスイッチング制御する。
【００６７】
図９（ａ）〜（ｄ）は、ＬＥＤ駆動装置Ａ１の各部の状態を示す。
【００６８】
まず、調光信号がＨレベルである期間Ｔ４ａにおいて、ＡＮＤ素子３３は、エラーアンプ３２ａのＰＷＭ信号を出力する。スイッチ駆動回路３６は、ＡＮＤ素子３３からのＰＷＭ信号に基づいて、スイッチング素子Ｓ１を周期Ｔ３でオン・オフ駆動する（図９（ｂ））。さらに、期間Ｔ４ａに亘ってＨレベルの調光信号を入力されたスイッチ駆動回路３７は、スイッチング素子Ｓ２をオン状態に維持する（図９（ａ））。而して、ＬＥＤ電流Ｉ３が、ＬＥＤユニット３に流れる。（図９（ｄ））。
【００６９】
一方、調光信号がＬレベルである期間Ｔ４ｂにおいて、ＡＮＤ素子３３は、エラーアンプ３２ａのＰＷＭ信号に関わらずＬレベル信号を出力する。スイッチ駆動回路３６は、ＡＮＤ素子３３からの信号に基づいて、スイッチング素子Ｓ１をオフさせて（図９（ｂ））、昇圧チョッパ回路Ａ１１の昇圧動作を停止させる。この調光信号がＬレベルである期間Ｔ４ｂでは、充電電流Ｉａもゼロになる（図９（ｃ））。さらに、期間Ｔ４ｂに亘ってＬレベルの調光信号を入力されたスイッチ駆動回路３７は、スイッチング素子Ｓ２をオフ状態に維持し（図９（ａ））、ＬＥＤユニット３へのＬＥＤ電流Ｉ３を遮断する（図９（ｄ））。
【００７０】
すなわち、スイッチング素子Ｓ１，Ｓ２は、調光信号がＬレベルである期間Ｔ４ｂに同期して低周波で周期的にオフしており、期間Ｔ４ｂのデューティを変化させることによって、ＬＥＤユニット３を調光制御できる。
【００７１】
また、期間Ｔ４ａでは、スイッチング素子Ｓ２がオンし、スイッチング素子Ｓ１が周期Ｔ３でオン・オフを繰り返しており、コンデンサＣ１の放電電流Ｉｂが発生している期間の一部に、コンデンサＣ１の充電電流Ｉａが発生する期間を重複させている。すなわち、充電電流Ｉａと放電電流Ｉｂとが互いに相殺され、コンデンサＣ１を流入出する電流が低減される。したがって、容量を小さくしたコンデンサＣ１を用いても、昇圧電圧Ｖ２のリプル電圧（昇圧電圧Ｖ２の交流分の変動幅）を低減させることができ、さらにはコンデンサＣ１の小型化を図ることもできる。
【００７２】
また、コンデンサＣ１の小容量化によって、回路全体の応答性が向上するので、入力電圧Ｖ１やＬＥＤユニット３等の瞬時的な変化時において、ＬＥＤユニット３に過電流が流れることを抑制できる。したがって、ＬＥＤユニット３にかかる電流ストレスが低減されるため、ＬＥＤユニット３の耐量を小さくでき、コストの点で有利になる。
【００７３】
而して、昇圧電圧を発生するコンデンサＣ１の小容量化による応答性の向上および低コスト化を図りながら、リプル電圧の低減を可能にすることができる。
【００７４】
（実施形態４）
本実施形態のＬＥＤ駆動装置は、図１０に示す昇圧制御回路１１および降圧制御回路１２の回路ブロックを有する制御回路Ａ１３ｃを用いるものであり、実施形態１と同様の構成には同一の符号を付して説明は省略する。
【００７５】
制御回路Ａ１３ｃは、昇圧制御回路１１および降圧制御回路１２の回路ブロックとして、エラーアンプ４１，４２、ＰＷＭ制御回路４３，４４、ＡＮＤ素子４５，４６、調光制御部４７、調光信号生成部４８、スイッチ駆動回路４９，５０を備える。ＰＷＭ制御回路４３は、エラーアンプ４３ａ、基準電圧発生回路４３ｂで構成され、ＰＷＭ制御回路４４は、エラーアンプ４４ａ、基準電圧発生回路４４ｂで構成される。
【００７６】
エラーアンプ４１は、接続点Ｐ１の電圧（昇圧電圧Ｖ２の検出値）と予め設定された基準電圧Ｖｒｅｆ４との誤差を増幅して出力する。基準電圧発生回路４３ｂは、周期Ｔ５のノコギリ波の電圧を発生する。そして、エラーアンプ４３ａは、エラーアンプ４１の出力と、基準電圧発生回路４３ｂが発生したノコギリ波の電圧とを比較し、その比較結果に応じてＨレベルとＬレベルとを交互に繰り返す周期Ｔ５のＰＷＭ信号を出力する。ＰＷＭ信号は、スイッチング素子Ｓ１のオンデューティを決定する信号であり、ＡＮＤ素子４５を介してスイッチ駆動回路４９に入力される。
【００７７】
エラーアンプ４２は、接続点Ｐ２の電圧（ＬＥＤ電流Ｉ３の検出値）と予め設定された基準電圧Ｖｒｅｆ５との誤差を増幅して出力する。基準電圧発生回路４４ｂは、周期Ｔ６（＞Ｔ５）のノコギリ波の電圧を発生する。そして、エラーアンプ４４ａは、エラーアンプ４２の出力と、基準電圧発生回路４４ｂが発生したノコギリ波の電圧とを比較し、その比較結果に応じてＨレベルとＬレベルとを交互に繰り返す周期Ｔ６のＰＷＭ信号を出力する。ＰＷＭ信号は、スイッチング素子Ｓ２のオンデューティを決定する信号であり、ＡＮＤ素子４６を介してスイッチ駆動回路５０に入力される。
【００７８】
次に、調光信号生成部４８は、例えば電圧／周波数変換器で構成されており、調光信号生成部４８が出力する調光信号は、周期Ｔ７でＨレベルとＬレベルとを交互に繰り返す。周期Ｔ７は、期間Ｔ７ａと期間Ｔ７ｂとで構成されており、Ｔ７＝Ｔ７ａ＋Ｔ７ｂ＞Ｔ６＞Ｔ５の関係にある。そして、期間Ｔ７ａにおいて、調光信号はＨレベルに設定され、期間Ｔ７ｂにおいて、調光信号はＬレベルに設定される。さらに、調光制御部４７は、可変抵抗等を有して、出力電圧を可変に構成されており、調光信号生成部４８は、調光制御部４７の出力電圧に応じて期間Ｔ７ｂのデューティを変化させる。
【００７９】
そして、ＡＮＤ素子４５は、エラーアンプ４３ａが出力するＰＷＭ信号と、調光信号生成部４８が出力する調光信号とが入力される。また、ＡＮＤ素子４６は、エラーアンプ４４ａが出力するＰＷＭ信号と、調光信号生成部４８が出力する調光信号とが入力される。
【００８０】
スイッチ駆動回路４９は、ＡＮＤ素子４５の出力に基づいて、スイッチング素子Ｓ１をスイッチング制御する。スイッチ駆動回路５０は、ＡＮＤ素子４６の出力に基づいて、スイッチング素子Ｓ２をスイッチング制御する。
【００８１】
具体的に、調光信号生成部４８が出力する調光信号がＨレベルである期間において、以下のように動作する。まず、ＡＮＤ素子４５は、エラーアンプ４３ａのＰＷＭ信号を出力し、スイッチ駆動回路４９は、スイッチング素子Ｓ１を周期Ｔ５でオン・オフ駆動する。さらに、ＡＮＤ素子４６は、エラーアンプ４４ａのＰＷＭ信号を出力し、スイッチ駆動回路５０は、スイッチング素子Ｓ２を周期Ｔ６でオン・オフ駆動する。
【００８２】
ここで、スイッチング素子Ｓ１のスイッチング周波数（＝１／Ｔ５）は、スイッチング素子Ｓ２のスイッチング周波数（＝１／Ｔ６）より高い。したがって、スイッチング素子Ｓ２のオン期間に、スイッチング素子Ｓ１はオン・オフを繰り返しており、コンデンサＣ１の放電電流Ｉｂが発生している期間の一部に、コンデンサＣ１の充電電流Ｉａが発生する期間を重複させている。すなわち、充電電流Ｉａと放電電流Ｉｂとが互いに相殺され、コンデンサＣ１を流入出する電流が低減される。したがって、容量を小さくしたコンデンサＣ１を用いても、昇圧電圧Ｖ２のリプル電圧（昇圧電圧Ｖ２の交流分の変動幅）を低減させることができ、さらにはコンデンサＣ１の小型化を図ることもできる。
【００８３】
また、コンデンサＣ１の小容量化によって、回路全体の応答性が向上するので、入力電圧Ｖ１やＬＥＤユニット３等の瞬時的な変化時において、ＬＥＤユニット３に過電流が流れることを抑制できる。したがって、ＬＥＤユニット３にかかる電流ストレスが低減されるため、ＬＥＤユニット３の耐量を小さくでき、コストの点で有利になる。
【００８４】
而して、昇圧電圧を発生するコンデンサＣ１の小容量化による応答性の向上および低コスト化を図りながら、リプル電圧の低減を可能にすることができる。
【００８５】
一方、調光信号生成部４８が出力する調光信号がＬレベルである期間において、ＡＮＤ素子４５は、エラーアンプ４３ａのＰＷＭ信号に関わらずＬレベル信号を出力し、ＡＮＤ素子４６は、エラーアンプ４４ａのＰＷＭ信号に関わらずＬレベル信号を出力する。スイッチ駆動回路４９，５０は、ＡＮＤ素子４５，４６からの各信号に基づいて、スイッチング素子Ｓ１，Ｓ２の両方をオフさせて、ＬＥＤユニット３へのＬＥＤ電流Ｉ３を遮断する。
【００８６】
すなわち、スイッチング素子Ｓ１，Ｓ２は、調光信号がＬレベルである期間に同期して低周波で周期的にオフしており、調光信号のＬレベル期間のデューティを変化させることによって、ＬＥＤユニット３を調光制御できる。
【００８７】
（実施形態５）
本実施形態のＬＥＤ駆動装置は、実施形態１〜４いずれかの降圧チョッパ回路Ａ１２の代わりに、図１１に示す降圧チョッパ回路Ａ１２ａを用いるものであり、実施形態１乃至４と同様の構成には同一の符号を付して説明は省略する。
【００８８】
降圧チョッパ回路Ａ１２ａは、昇圧チョッパ回路Ａ１１のコンデンサＣ１の正極に接続したスイッチング素子Ｓ２ａ（第２のスイッチング素子）とインダクタＬ２ａとの直列回路を備え、インダクタＬ２ａ−直流電源Ｅ１の負極間には、ＬＥＤユニット３が接続される。さらに、インダクタＬ２ａとＬＥＤユニット３との直列回路には、回生用のダイオードＤ２ａが並列接続される。そして、制御回路Ａ１３は、スイッチング素子Ｓ２ａをオン・オフ駆動することによって、昇圧電圧Ｖ２を降圧した出力電圧Ｖ３をＬＥＤユニット３の両端間に印加し、ＬＥＤ電流Ｉ３を目標電流に制御する。
【００８９】
具体的に、降圧チョッパ回路Ａ１２ａは、スイッチング素子Ｓ２ａがオンすると、コンデンサＣ１−スイッチング素子Ｓ２ａ−インダクタＬ２ａ−ＬＥＤユニット３−コンデンサＣ１の経路で電流が流れる。そして、スイッチング素子Ｓ２ａがオフすると、インダクタＬ２ａに蓄積された磁気エネルギーが放出され、インダクタＬ２ａ−ＬＥＤユニット３−ダイオードＤ２ａ−インダクタＬ２ａの経路で電流が流れる。このスイッチング素子Ｓ２ａのオン・オフが繰り返されることによって、ＬＥＤユニット３にはＬＥＤ電流Ｉ３が連続して流れ、ＬＥＤ素子Ｚ１は、ＬＥＤ電流Ｉ３に応じて発光する。制御回路Ａ１３は、ＬＥＤ電流Ｉ３の検出値が予め決められている目標電流に一致するように、スイッチング素子Ｓ２ａのオンデューティをＰＷＭ（Pulse Width Modulation）制御する。
【００９０】
図１２は、ＬＥＤ電流Ｉ３を検出する電流検出部の構成を示しており、抵抗Ｒ１１〜Ｒ１３のいずれかを用いる。抵抗Ｒ１１は、ＬＥＤユニット３とダイオードＤ２ａとの接続点−コンデンサＣ１の負極間に介挿されており、スイッチング素子Ｓ２ａのオン時におけるＬＥＤ電流Ｉ３を検出する（図１３（ａ））。抵抗Ｒ１２は、ダイオードＤ２ａに直列接続されており、スイッチング素子Ｓ２ａのオフ時におけるＬＥＤ電流Ｉ３を検出する（図１３（ｂ））。抵抗Ｒ１３は、ＬＥＤユニット３に直列接続されており、スイッチング素子Ｓ２ａのオン時およびオフ時におけるＬＥＤ電流Ｉ３を検出する（図１３（ｃ））。なお、抵抗Ｒ１１〜Ｒ１３のいずれを用いるかは、負荷や制御の方式によって選択すればよい。
【００９１】
本実施形態の降圧チョッパ回路１２ａは、スイッチング素子Ｓ２ａを高電圧側に設けて、ＬＥＤユニット３の一端（カソード側）を直流電源Ｅ１の負極に接続している。したがって、直流電源Ｅ１の負極を、ＬＥＤ素子Ｚ１の放熱のために設ける図示しない放熱フィンに接地した場合、ＬＥＤ素子Ｚ１の絶縁を考慮する必要がないため、構造面でのメリットがある。
【００９２】
また、実施形態１〜５のＬＥＤ駆動装置Ａ１およびＬＥＤユニット３を備える照明装置を器具本体に保持させて、本発明の照明器具を構成することができる。
【符号の説明】
【００９３】
Ａ１  ＬＥＤ駆動装置
Ａ１１  昇圧チョッパ回路（昇圧回路）
Ａ１２  降圧チョッパ回路（降圧回路）
Ａ１３  制御回路
Ｃ１  コンデンサ
Ｅ１  直流電源
３  ＬＥＤユニット（ＬＥＤ光源）
Ｚ１  ＬＥＤ素子
【図１】
0005857220.tif 000002
【図２】
0005857220.tif 000003
【図３】
0005857220.tif 000004
【図４】
0005857220.tif 000005
【図５】
0005857220.tif 000006
【図６】
0005857220.tif 000007
【図７】
0005857220.tif 000008
【図８】
0005857220.tif 000009
【図９】
0005857220.tif 000010
【図１０】
0005857220.tif 000011
【図１１】
0005857220.tif 000012
【図１２】
0005857220.tif 000013
【図１３】
0005857220.tif 000014
【図１４】
0005857220.tif 000015
【図１５】
0005857220.tif 000016